(57)【要約】【課題】本発明は、リソース使用効率を向上でき、新規呼が呼損となるおそれを低減できる移動通信システムの新規呼受付け方法及び無線制御装置を提供することを目的とする。【解決手段】移動通信システムの新規呼受付け方法において、移動機の発信又は移動機に対する着信である新規呼が発生したセルにて全無線リソースが使用中であるとき、新規呼を受信したハンドオーバ移動元の無線制御装置で、呼発生セルから他のセルにハンドオーバしたハンドオーバ呼の呼情報をハンドオーバ移動先の無線制御装置に送信し、ハンドオーバ移動先の無線制御装置で、受信した前記呼情報からパス再接続を行ってハンドオーバ移動元の無線制御装置に通知し、パス再接続の通知を受けたハンドオーバ移動元の無線制御装置で、前記ハンドオーバ呼が捕捉している無線リソースを解放して前記新規呼の接続を行う。【選択図】図２
2008172363.tif 000002
【特許請求の範囲】
【請求項１】
移動通信システムの新規呼受付け方法において、
移動機の発信又は移動機に対する着信である新規呼が発生したセルにて全無線リソースが使用中であるとき、前記新規呼を受信したハンドオーバ移動元の無線制御装置で、呼発生セルから他のセルにハンドオーバしたハンドオーバ呼の呼情報をハンドオーバ移動先の無線制御装置に送信し、
ハンドオーバ移動先の無線制御装置で、受信した前記呼情報からパス再接続を行って前記ハンドオーバ移動元の無線制御装置に通知し、
前記パス再接続の通知を受けた前記ハンドオーバ移動元の無線制御装置で、前記ハンドオーバ呼が捕捉している無線リソースを解放して前記新規呼の接続を行う
ことを特徴とする新規呼受付け方法。
【請求項２】
請求項１記載の新規呼受付け方法において、
前記ハンドオーバ移動元の無線制御装置は、呼発生セルから他のセルにハンドオーバしたハンドオーバ呼の呼インスタンス番号をテーブルに保持し、
前記テーブルからハンドオーバ呼を検索し、前記新規呼の接続情報を新規呼インスタンス番号として検索したハンドオーバ呼の呼インスタンス番号と共に格納し、前記ハンドオーバ呼の呼インスタント番号に対する呼情報をハンドオーバ移動先の無線制御装置に送信する
ことを特徴とする新規呼受付け方法。
【請求項３】
請求項２記載の新規呼受付け方法において、
前記呼情報は、前記ハンドオーバ呼の呼インスタント番号に対する無線リソース情報と課金情報を含むことを特徴とする新規呼受付け方法。
【請求項４】
移動通信システムの無線制御装置において、
移動機の発信又は移動機に対する着信である新規呼が発生したセルにて全無線リソースが使用中であるとき、前記新規呼を受信したハンドオーバ移動元で、前記セルから他のセルにハンドオーバしたハンドオーバ呼の呼情報をハンドオーバ移動先に送信する転送手段と、
ハンドオーバ移動先で、受信した前記呼情報からパス再接続を行って前記ハンドオーバ移動元に通知するパス接続手段と、
前記パス再接続の通知を受けた前記ハンドオーバ移動元で、前記ハンドオーバ呼が捕捉している無線リソースを解放して前記新規呼の接続を行うリソース解放手段を
有することを特徴とする無線制御装置。
【請求項５】
請求項４記載の無線制御装置において、
呼発生セルから他のセルにハンドオーバしたハンドオーバ呼の呼インスタンス番号をテーブルに保持する管理手段を有し、
前記転送手段は、前記テーブルからハンドオーバ呼を検索し、前記新規呼の接続情報を新規呼インスタンス番号として検索したハンドオーバ呼の呼インスタンス番号と共に格納し、前記ハンドオーバ呼の呼インスタント番号に対する呼情報をハンドオーバ移動先の無線制御装置に送信する
ことを特徴とする無線制御装置。
【請求項６】
請求項５記載の無線制御装置において、
前記呼情報は、前記ハンドオーバ呼の呼インスタント番号に対する無線リソース情報と課金情報を含むことを特徴とする無線制御装置。
【請求項７】
請求項５又は６記載の無線制御装置において、
前記管理手段は、前記ハンドオーバ呼毎に、前記ハンドオーバ呼の呼インスタンス番号と前記新規呼インスタンス番号をセットとして保持すると共に、ハンドオーバ呼の呼数を保持する
ことを特徴とする無線制御装置。
【発明の詳細な説明】
【技術分野】
【０００１】
本発明は、移動通信システムの新規呼受付け方法及び無線制御装置に関し、移動通信システムで新規呼を受付けを行う方法及び無線制御装置に関する。
【背景技術】
【０００２】
近年、携帯電話機の普及に伴ってイベントなどで一時的に携帯電話使用者が集まることで有限である無線リソースが枯渇しサービスに影響を与えている。この場合、無線リソースの追加が必要であるが設置工事などが必要であるためサービスの即時性がなく、追加による経費もかかるため一時的なトラヒックの増加に対応するには好ましくない。
【０００３】
そこで限りある無線リソースについて、更に効率よく使用することでサービスを安定して提供できるような制御方法が求められている。
【０００４】
従来では携帯電話で音声通信使用中状態においてセル移動した場合、移動セルに対して接続を移すことで移動通信を可能にするべくハードハンドオーバという技術があったが、ハードハンドオーバ技術は切り替え時に通話が瞬断するといった問題点があった。
【０００５】
移動元から移動先まで延長線接続することで、その問題点を解決するソフトハンドオーバといった技術がある。このソフトハンドオーバ技術はセル移動を繰り返すと移動元のセルから移動先のセルまでリソースは使用し続ける。
【０００６】
なお、特許文献１には、基地局制御装置が収集した移動機が存在するセル及び隣接セルのトラフィックデータを通知された移動機は、使用しているチャンネルの輻湊状態が過度になると、当該データを分析して適当なセルへのハンドオーバを要求することが記載されている。
【特許文献１】特開平５−３２７５９８号公報
【発明の開示】
【発明が解決しようとする課題】
【０００７】
ソフトハンドオーバ技術はセル移動を繰り返すと移動元のセルから移動先のセルまでリソースは使用し続けるため、既に携帯端末は移動先のセルに移っているにも拘わらず移動元のリソースを保持している状態となる。
【０００８】
そのため多数の人が利用できる公共の交通手段などで多数の加入者がハンドオーバするような状況においては、既に自セルから移動可能な多くのリソースを保持することとなりリソース使用の効率が悪いといった問題点があり、効率が悪いことにより新規呼が呼損となるおそれが高くなるといった問題点があった。
【０００９】
本発明は、上記の点に鑑みなされたものであり、リソース使用効率を向上でき、新規呼が呼損となるおそれを低減できる移動通信システムの新規呼受付け方法及び無線制御装置を提供することを目的とする。
【課題を解決するための手段】
【００１０】
本発明の一実施態様による新規呼受付け方法は、移動通信システムの新規呼受付け方法において、
移動機の発信又は移動機に対する着信である新規呼が発生したセルにて全無線リソースが使用中であるとき、前記新規呼を受信したハンドオーバ移動元の無線制御装置で、呼発生セルから他のセルにハンドオーバしたハンドオーバ呼の呼情報をハンドオーバ移動先の無線制御装置に送信し、
ハンドオーバ移動先の無線制御装置で、受信した前記呼情報からパス再接続を行って前記ハンドオーバ移動元の無線制御装置に通知し、
前記パス再接続の通知を受けた前記ハンドオーバ移動元の無線制御装置で、前記ハンドオーバ呼が捕捉している無線リソースを解放して前記新規呼の接続を行うことにより、リソース使用効率を向上でき、新規呼が呼損となるおそれを低減できる。
【００１１】
前記新規呼受付け方法において、
前記ハンドオーバ移動元の無線制御装置は、呼発生セルから他のセルにハンドオーバしたハンドオーバ呼の呼インスタンス番号をハンドオーバ移動元管理テーブルに保持し、
前記ハンドオーバ移動元管理テーブルからハンドオーバ呼を検索し、前記新規呼の接続情報を新規呼インスタンス番号として検索したハンドオーバ呼の呼インスタンス番号と共に格納し、前記ハンドオーバ呼の呼インスタント番号に対する呼情報をハンドオーバ移動先の無線制御装置に送信するよう構成としても良い。
【００１２】
前記新規呼受付け方法において、
前記呼情報は、前記ハンドオーバ呼の呼インスタント番号に対する無線リソース情報と課金情報を含むよう構成としても良い。
【００１３】
本発明の一実施態様による無線制御装置は、移動通信システムの無線制御装置において、
移動機の発信又は移動機に対する着信である新規呼が発生したセルにて全無線リソースが使用中であるとき、前記新規呼を受信したハンドオーバ移動元で、前記セルから他のセルにハンドオーバしたハンドオーバ呼の呼情報をハンドオーバ移動先に送信する転送手段と、
ハンドオーバ移動先で、受信した前記呼情報からパス再接続を行って前記ハンドオーバ移動元に通知するパス接続手段と、
前記パス再接続の通知を受けた前記ハンドオーバ移動元で、前記ハンドオーバ呼が捕捉している無線リソースを解放して前記新規呼の接続を行うリソース解放手段を有することにより、リソース使用効率を向上でき、新規呼が呼損となるおそれを低減できる。
【００１４】
前記無線制御装置において、
呼発生セルから他のセルにハンドオーバしたハンドオーバ呼の呼インスタンス番号を保持する管理手段を有し、
前記転送手段は、前記管理手段からハンドオーバ呼を検索し、前記新規呼の接続情報を新規呼インスタンス番号として検索したハンドオーバ呼の呼インスタンス番号と共に格納し、前記ハンドオーバ呼の呼インスタント番号に対する呼情報をハンドオーバ移動先の無線制御装置に送信する構成としても良い。
【００１５】
前記無線制御装置において、
前記呼情報は、前記ハンドオーバ呼の呼インスタント番号に対する無線リソース情報と課金情報を含む構成としても良い。
【００１６】
前記無線制御装置において、
前記管理手段は、前記ハンドオーバ呼毎に、前記ハンドオーバ呼の呼インスタンス番号と前記新規呼インスタンス番号をセットとして保持すると共に、ハンドオーバ呼の呼数を保持する構成としても良い。
【発明の効果】
【００１７】
本発明によれば、リソース使用効率を向上でき、新規呼が呼損となるおそれを低減することができる。
【発明を実施するための最良の形態】
【００１８】
以下、図面に基づいて本発明の実施形態について説明する。
【００１９】
<本発明の原理>
全無線リソースを使用中のセルにおいて、移動元としてハンドオーバ制御されているリソースを見つけ出し、そのリソースを解放することによって、そのリソースを新規の呼に割り当てられるように制御する。また、移動元のリソースを解放することによって既に自セルから離れてしまった移動機が保持するリソースを使用できるように制御し、リソースの使用効率を向上させる。なお、本明細書でハンドオーバとの記載は、特に注意がない場合はソフトハンドオーバを指す。
【００２０】
<移動通信システムの構成>
図１は、本発明が適用される移動通信システムの一実施形態の構成図を示す。同図中、移動通信システムは、移動機（ＭＳ：Ｍｏｂｉｌｅ  Ｓｔａｔｉｏｎ）１０ａ，１０ｂと、無線アクセスネットワークを構成する無線基地局（ＢＴＳ：Ｂａｓｅ  Ｔｒａｎｓｃｅｉｖｅｒ  Ｓｔａｔｉｏｎ）１１ａ，１１ｂ及び無線制御装置（ＲＮＣ：Ｒａｄｉｏ  Ｎｅｔｗｏｒｋ  Ｃｏｎｔｒｏｌｌｅｒ）１２ａ，１２ｂと、コアネットワークを構成する交換局装置（ＭＳＣ：Ｍｏｂｉｌｅ  Ｓｗｉｔｃｈｉｎｇ  Ｃｅｎｔｅｒ）１３から大略構成されている。
【００２１】
無線アクセスネットワークの無線基地局１１ａ，１１ｂそれぞれはセル１５ａ、１５ｂそれぞれに在圏する移動機１０ａ，１０ｂと無線接続する。無線基地局１１ａ，１１ｂは無線制御装置１２ａ，１２ｂを介してコアネットワークの交換局装置１３に接続されている。交換局装置１３は発信、着信、位置登録、ルーチング制御等の処理を行う。
【００２２】
ここで、移動機１０ａはセル１５ａで発呼したのちセル１５ｂに移動してハンドオーバしたものとすると、セル１５ａがハンドオーバ元の移動元セル、セル１５ｂがハンドオーバ先の移動先セルである。この場合、無線制御装置１２ａが移動機１０ａの発呼制御及びハンドオーバ制御を実施し、無線制御装置１２ｂが移動機１０ａのハンドオーバ先となる。
【００２３】
<無線制御装置の機能>
図２は、無線制御装置１２ａの一実施形態の機能ブロック図を示す。無線制御装置１２ｂについても、同一構成である。同図中、無線制御装置は既存の呼制御処理部２０に加えてハンドオーバ移動元呼保持処理部２１とハンドオーバ移動元呼転送処理部２２とハンドオーバ移動先呼パス接続処理部２３とハンドオーバ移動元呼リソース解放処理部２４とハンドオーバ移動元管理テーブル２５を有している。
【００２４】
呼制御処理部２０において既存のハンドオーバ処理が確立した時点で、ハンドオーバ移動元となる無線制御装置１２ａでは、ハンドオーバの移動元となっている呼としてハンドオーバ移動元呼保持処理部２１でハンドオーバ移動元管理テーブル２５に呼情報を保持する。
【００２５】
ハンドオーバ移動元呼保持処理部２１は、図３に示すハンドオーバ移動元管理テーブル２５に呼情報を保持する。ハンドオーバ移動元管理テーブル２５はハンドオーバの移動元となっている呼の呼接続情報である「呼インスタンス番号」と、この呼インスタンス番号の呼に対してリソース置き換えをするために新たに接続要求のあった呼と関係づけるための「新規呼インスタンス番号」を１セットとして保持する。
【００２６】
また、移動元となるハンドオーバ呼の呼数を判断するために「ハンドオーバ移動元呼数」を保持する。この要素は前述の２つの「呼インスタンス番号」と「新規呼インスタンス番号」のセット数を表す。
【００２７】
ハンドオーバ移動元呼転送処理部２２は、新規に例えば移動機１０ｂから発呼されたとき無線制御装置１２ａでリソースが全て使用されている場合、無線制御装置１２ａはハンドオーバの移動元となっている呼の有無をハンドオーバ移動元管理テーブル２５の「ハンドオーバ移動元呼数」から検索し、該当呼の存在が確認された場合に、移動機１０ｂによる新規呼接続情報（呼インスタンス番号）をハンドオーバ移動元管理テーブル２５の「新規呼インスタンス番号」に保持する。また、確認された該当ハンドオーバ呼（ハンドオーバの移動元となっている呼）に対して無線リソース情報や課金情報などの呼情報をハンドオーバ移動先となっている無線制御装置１２ｂに転送し、無線制御装置１２ｂによって移動機１０ａとのパス再接続完了の通知を待ち受ける。
【００２８】
ハンドオーバ移動先呼接続処理部２３は、無線制御装置１２ｂにおいて、ハンドオーバ移動元である無線制御装置１２ａより無線リソース情報や課金情報などの呼情報を受信した場合に、受信した無線制御装置１２ａ向けの無線リソース情報から無線制御装置１２ｂでの呼インスタンス番号を取得する。その呼インスタンス番号からハンドオーバ接続先（無線制御装置１２ｂ）で捕捉しているリソースから交換局装置１３と移動機１０ａ間を、無線制御装置１２ｂを経由するようにパス再接続を行った後、無線制御装置１２ａに対してパス再接続完了の通知を送信する。
【００２９】
ハンドオーバ移動元呼リソース解放処理部２４は、無線制御装置１２ａにおいて無線制御装置１２ｂからパス再接続完了の通知を受信した場合、移動機１０ａとのハンドオーバ移動元の呼に対して捕捉されているリソースを解放して、予約状態にあったハンドオーバ移動元管理テーブル２５の「新規呼インスタンス番号」を基に、新規に発呼した移動機１０ｂの新規呼接続を実施する。
【００３０】
図４は、パス接続を説明するための図を示す。同図中、無線制御装置１２ａ，１２ｂはパス３０ａ，３０ｂで交換局装置１３を接続され、パス３０ｃ，３０ｄで無線基地局１１ａ，１１ｂと接続される。また、無線制御装置１２ａ，１２ｂ間はパス３０ｅで接続される。無線制御装置１２ａの内部パス３１ａは無線基地局１１ａと交換局装置１３を接続する。無線制御装置１２ｂの内部パス３２ａは無線基地局１１ｂと交換局装置１３を接続し、する。内部パス３２ｂは無線基地局１１ｂと無線制御装置１２ａを接続する。
【００３１】
<ハンドオーバ移動元呼保持処理>
図５は、ハンドオーバ移動元呼保持処理部２１が実行するハンドオーバ移動元呼保持処理のフローチャートを示す。同図中、無線制御装置１２ａのハンドオーバ移動元呼保持処理部２１は、ステップＳ１で移動機（例えば１０ａ）よりハンドオーバ完了を通知する信号を受信する。
【００３２】
ステップＳ２でハンドオーバ移動元管理テーブル２５のハンドオーバ移動元呼数＋１のセットの呼インスタンス番号にハンドオーバ移動元呼（ハンドオーバ呼）の新規呼接続情報（呼インスタンス番号）を保持する。
【００３３】
ステップＳ３でハンドオーバ移動元管理テーブル２５のハンドオーバ移動元呼数＋１のセットの新規呼インスタンス番号を初期化する。ステップＳ４でハンドオーバ移動元管理テーブル２５のハンドオーバ移動元呼数に＋１を加算する。
【００３４】
<ハンドオーバ移動元呼転送処理>
図６は、ハンドオーバ移動元呼転送処理部２２が実行するハンドオーバ移動元呼転送処理のフローチャートを示す。同図中、無線制御装置１２ａの呼制御処理部２０は、ステップＳ１０で移動機（例えば１０ｂ）よりの新規呼受付けを行う。ステップＳ１１でリソースが全て使用されているか否かを判別し、リソースが全て使用されている場合には出力１２に進み、リソースに空きがあればステップＳ１４で既存処理を行う。
【００３５】
ハンドオーバ移動元呼転送処理部２２はステップＳ１２でハンドオーバ移動元管理テーブル２５のハンドオーバ移動元呼数を参照し、ステップＳ１３で参照したハンドオーバ移動元呼数が１以上であってハンドオーバ移動元呼が存在するか否かを判別する。ハンドオーバ移動元呼が存在すればステップＳ１５に進み、存在しなければステップＳ１４で既存処理を行う。
【００３６】
ステップＳ１５〜Ｓ１８はハンドオーバ移動元管理テーブル２５のハンドオーバ移動元呼数分だけループ処理を行う。ステップＳ１６において、ハンドオーバ移動元管理テーブル２５の新規呼インスタンス番号を参照し、ステップＳ１７で参照した新規呼インスタンス番号が初期化状態か否かを判別し、初期化状態であればステップＳ１９に進む。
【００３７】
ステップＳ１９ではハンドオーバ移動元管理テーブル２５の参照した新規呼インスタンス番号に新規呼の新規呼接続情報（呼インスタンス番号）を保持する。ステップＳ２０で上記新規呼インスタンス番号とセットの呼インスタンス番号よりハンドオーバ移動元呼の無線リソース情報及び課金情報を取得し、ステップＳ２１で上記ハンドオーバ呼の無線リソース情報及び課金情報をハンドオーバ先の無線制御装置１２ｂにメッセージ送信する。ステップＳ２２で無線制御装置１２ｂからのパス再接続完了の通知メッセージの受信を待つ。
【００３８】
<ハンドオーバ移動先呼パス接続処理>
図７は、ハンドオーバ移動先呼パス接続処理部２３が実行するハンドオーバ移動先呼パス接続処理のフローチャートを示す。同図中、無線制御装置１２ｂのハンドオーバ移動先呼パス接続処理部２３は、ステップＳ３０で呼切断時に交換局装置１３に通知する課金情報を保持しておく。
【００３９】
ステップＳ３１で無線制御装置１２ａからパス３０ｅを介して受信したハンドオーバ移動先の呼インスタンス番号を取得する。ステップＳ３２でハンドオーバ移動先の呼インスタンス番号に対し交換局装置１３向けのパス３０ｂを捕捉する。ステップＳ３３でハンドオーバ移動先の呼インスタンス番号に対し交換局装置１３と無線基地局１１ｂを結ぶ内部パス３２ａを捕捉する。
【００４０】
ステップＳ３４でハンドオーバ接続に既に捕捉されている無線制御装置１２ｂ向けのパス３０ｄと内部パス３２ａと交換局装置１３向けのパス３０ｂでパス再接続を行う。ステップＳ３５で不用となった内部パス３２ｂを解放する。ステップＳ３６で無線制御装置１２ａに対しパス３０ｅを介してパス再接続完了の通知メッセージを送信する。
【００４１】
<ハンドオーバ移動元呼リソース解放処理>
図８は、ハンドオーバ移動元呼リソース解放処理部２４が実行するハンドオーバ移動元呼リソース解放処理のフローチャートを示す。同図中、無線制御装置１２ａのハンドオーバ移動元呼リソース解放処理部２４は、ステップＳ４０で無線制御装置１２ｂからパス再接続完了の通知を受けると、ハンドオーバ移動元管理テーブル２５から該当するハンドオーバ移動元呼の呼インスタンス番号を取得する。無線制御装置１２ｂからの通知により課金情報の引き継ぎが完了したため、ステップＳ４１で該当する課金情報を削除する。
【００４２】
ステップＳ４２でハンドオーバ移動元呼の呼インスタンス番号から移動機１０ａのリソースを解放し、無線基地局１１ａへのパス３０ｃを解放する。ステップＳ４３でハンドオーバ移動元呼の呼インスタンス番号から無線制御装置１２ａへのパス３０ｅを解放する。ステップＳ４４でハンドオーバ移動元呼の呼インスタンス番号から無線制御装置１２ａ，１２ｂ間のパス３０ｅを解放する。ステップＳ４５でハンドオーバ移動元呼の呼インスタンス番号から内部パス３１ａを解放する。
【００４３】
ステップＳ４６〜Ｓ４８はハンドオーバ移動元管理テーブル２５のハンドオーバ移動元呼数分だけループ処理を行う。ステップＳ４７において、ハンドオーバ移動元呼の呼インスタンス番号とハンドオーバ移動元管理テーブル２５の呼インスタンス番号が一致するか否かを判別し、一致した場合にステップＳ４９に進む。
【００４４】
ステップＳ４９では対応するハンドオーバ移動元管理テーブル２５の新規呼インスタンス番号を取得する。そしてステップＳ５０で取得した新規呼インスタンス番号と、これとセットの呼インスタンス番号をハンドオーバ移動元管理テーブル２５上で初期化する。この後、呼制御処理部２０はステップＳ５１で解放したリソースを基に新規呼受付けを行った移動機１０ｂの呼接続を実施する。
【００４５】
<移動機発信動作のシーケンス>
図９は、本発明方法による移動機発信動作の一実施形態のシーケンスを示す。なお、図中の括弧付き番号は以下の説明と対応している。
【００４６】
（１）移動機１０ａにおいて移動元セル１５ａで呼接続後、移動先セル１５ｂに移動したことによって無線制御装置１２ａ及び無線制御装置１２ｂにてハンドオーバ制御が実施され、無線制御装置１２ａではハンドオーバ移動元呼保持処理が動作する。
【００４７】
（２）その後、移動機１０ｂが移動元セル１５ａで発信要求したとき、無線制御装置１２ａではハンドオーバ移動元呼転送処理が動作し、無線リソースが全使用状況であり移動機１０ａがハンドオーバ移動元呼であることが確認されたため、移動機１０ｂによる新規呼インスタンスを当該ハンドオーバ呼に関連させ、ハンドオーバ移動元管理テーブル２５に保存される。また、当該ハンドオーバ呼については移動先である無線制御装置１２ｂに呼接続を渡すためにリソース情報や課金情報を送信する。
【００４８】
（３）無線制御装置１２ｂはハンドオーバ移動先呼パス再接続処理が動作し、移動機１０ａに対してハンドオーバ（移動先）の接続から通常発呼時の接続状態にするべく、パス再接続を実行し完了した時点で無線制御装置１２ａにパス接続完了を通知する。
【００４９】
（４）移行の完了通知を受け取った無線制御装置１２ａではハンドオーバ移動先呼リソース解放処理にて無線制御装置１２ｂはリソースの解放を実施し、リソースの解放によって予約されていた移動機１０ｂに対して既存の発信動作が行えるようになる。
【００５０】
<移動機着信動作のシーケンス>
図１０は、本発明方法による移動機着信動作の一実施形態のシーケンスを示す。なお、図中の括弧付き番号は以下の説明と対応している。
【００５１】
（１１）移動機１０ａにおいて移動元セル１５ａで呼接続後、移動先セル１５ｂに移動したことによって無線制御装置１２ａ及び無線制御装置１２ｂにてハンドオーバ制御が実施され、無線制御装置１２ａではハンドオーバ移動元呼保持処理が動作する。
【００５２】
（１２）その後、移動元セル１５ａに在圏している移動機１０ｂに着信要求があった場合、ページングによる着信動作を実行しページング応答を待つ。ページング応答を受信した無線制御装置１２ａではハンドオーバ移動元呼転送処理が動作し、無線リソースが全使用状況であり、移動機１０ａがハンドオーバ移動元呼であることが確認されたため、移動機１０ｂによる新規呼インスタンスを該当ハンドオーバ呼に関連させ、ハンドオーバ移動元管理テーブル２５に保存される。また、該当ハンドオーバ呼については移動先である無線制御装置１２ｂに呼接続を渡すためにリソース情報や課金情報を送信する。
【００５３】
（１３）無線制御装置１２ｂはハンドオーバ移動先呼パス再接続処理が動作し、移動機１０ａに対してハンドオーバ（移動先）の接続から通常発呼時の接続状態にするべく、パス再接続を実行し完了した時点で無線制御装置１２ａにパス接続完了を通知する。
【００５４】
（１４）移行の完了通知を受け取った無線制御装置１２ａではハンドオーバ移動先呼リソース解放処理にて無線制御装置１２ｂはリソースの解放を実施し、リソースの解放によって予約されていた移動機１０ｂに対して既存のページング以降の着信動作が行えるようになる。
【００５５】
このように、全無線リソース使用中状態でハンドオーバ中の呼が存在するときに、新規の呼要求があっても使用中リソースを解放することで呼損とならず呼接続が完了する。例えばハンドオーバ呼が５０コール存在している状況で新規呼１００コール受け付けた場合において、本発明によって１００％の呼損率が５０％呼損率へと軽減することが可能となる。
【００５６】
また、無線リソースが有効に活用されることにより設備投資が軽減する。例えば公共運搬設備等によって多数の移動機が同時に移動した場合を想定したとき全移動機の５０％が通話中である場合、該当セルにおいては５０％がハンドオーバ呼となるため、本発明によって、そのセルに対して５０％のリソース使用を軽減させることが可能となる。
【００５７】
なお、ハンドオーバ移動元呼転送処理部２２が請求項に記載の転送手段に相当し、ハンドオーバ移動先呼パス接続処理部２３がパス接続手段に相当し、ハンドオーバ移動元呼リソース解放処理部２４がリソース解放手段に相当し、ハンドオーバ移動元呼保持処理部２１が管理手段に相当し、ハンドオーバ移動元管理テーブル２５がテーブルに相当する。
【図面の簡単な説明】
【００５８】
【図１】本発明が適用される移動通信システムの一実施形態の構成図である。
【図２】無線制御装置１２ａの一実施形態の機能ブロック図である。
【図３】ハンドオーバ移動元管理テーブルの構造を示す図である。
【図４】パス接続を説明するための図である。
【図５】ハンドオーバ移動元呼保持処理のフローチャートである。
【図６】ハンドオーバ移動元呼転送処理のフローチャートである。
【図７】ハンドオーバ移動先呼パス接続処理のフローチャートである。
【図８】ハンドオーバ移動元呼リソース解放処理のフローチャートである。
【図９】本発明方法による移動機発信動作の一実施形態のシーケンスである。
【図１０】本発明方法による移動機着信動作の一実施形態のシーケンスである。
【符号の説明】
【００５９】
１０ａ，１０ｂ  移動機
１１ａ，１１ｂ  無線基地局
１２ａ，１２ｂ  無線制御装置
１３  交換局装置
１５ａ，１５ｂ  セル
２０  呼制御処理部
２１  ハンドオーバ移動元呼保持処理部
２２  ハンドオーバ移動元呼転送処理部
２３  ハンドオーバ移動先呼パス接続処理部
２４  ハンドオーバ移動元呼リソース解放処理部
２５  ハンドオーバ移動元管理テーブル
【図１】
2008172363.tif 000003
【図２】
2008172363.tif 000004
【図３】
2008172363.tif 000005
【図４】
2008172363.tif 000006
【図５】
2008172363.tif 000007
【図６】
2008172363.tif 000008
【図７】
2008172363.tif 000009
【図８】
2008172363.tif 000010
【図９】
2008172363.tif 000011
【図１０】
2008172363.tif 000012